(57)【特許請求の範囲】
【請求項１】
炉内台車上に載せられた柩及びその内部に納められた遺体、副葬品等を燃焼するための主燃バーナ及び主燃焼炉２次空気量ダンパを設けた主燃焼炉と、
前記主燃焼炉に連通して設置され、再燃バーナ及び再燃焼炉２次空気量ダンパを設けた再燃焼炉と、
前記再燃焼炉からの排気を冷却する冷却器と、
前記冷却器の出口に設けられた炉出口ダンパと、
前記再燃焼炉からの排気を誘引する誘引送風機と、
前記排気を大気に排出する排気筒と、
前記主燃焼炉の炉内温度を計測する主燃焼炉温度計と、
前記再燃焼炉の炉内温度を計測する再燃焼炉温度計と、
前記排気中の排煙濃度及び酸素濃度をそれぞれ計測する排煙濃度計及び酸素濃度計と、
前記排煙濃度計で計測した排煙濃度が０で、かつ前記酸素濃度計で計測された酸素濃度を所定値以上に保つという条件を満たしながら、前記主燃バーナの出力が早く最大になるようにする主制御と、火葬前半の後期において主燃焼炉の温度が目標温度の範囲内にあれば、所定の開度だけ前記主燃焼炉２次空気量ダンパを一定時間開き、前記主燃焼炉の炉内温度が目標温度の範囲よりも高いときに前記主燃焼炉２次空気量ダンパを閉め、前記主燃焼炉の炉内温度が目標温度の範囲の中に入れば、前記主燃焼炉２次空気量ダンパを一定時間開くという動作を実行する補助制御とを行う主燃焼炉温度制御手段と
を備えたことを特徴とする火葬炉の燃焼制御システム。
【請求項２】
前記再燃焼炉温度計または前記再燃焼炉の出口に設けた再燃焼炉出口温度計で計測した再燃焼炉温度信号に基づき、前記再燃焼炉の温度が目標温度に達しなければ、前記再燃バーナの出力を増し、逆に前記再燃焼炉の温度が上がりすぎた時は、まず、前記再燃バーナを消火し、不十分であれば、前記再燃焼炉２次空気量ダンパを開度調節して再燃焼炉２次空気の吹込量を増加し、それでも不足の場合は、前記再燃バーナより空気のみを投入する再燃焼炉温度制御手段を設けたことを特徴とする請求項１記載の火葬炉の燃焼制御システム。
【請求項３】
前記主燃焼炉には、前記炉内台車上の柩を所定高さ浮かせて、そこに２次空気を吹き込む２次空気口を複数、側壁に設けたことを特徴とする請求項１または２に記載の火葬炉の燃焼制御システム。
【請求項４】
前記主燃焼炉に送り込む主燃焼炉用２次空気と、前記主燃バーナに送り込む空気と、前記再燃焼炉に送り込む再燃焼炉用２次空気と、前記再燃バーナに送り込む空気とを生成する燃焼用送風機を設け、前記燃焼用送風機のヘッダーにおける空気圧を一定にするために、インバータを用いて、前記燃焼用送風機の回転数制御を行う圧力一定制御手段を設けたことを特徴とする請求項１〜３のいずれかの項に記載の火葬炉の燃焼制御システム。
【請求項５】
前記再燃焼炉の圧力の信号に基づいて、前記誘引送風機の回転数制御と、炉圧制御ダンパによる炉内圧の制御を行う圧力制御手段を設けたことを特徴とする請求項１〜４のいずれかの項に記載の火葬炉の燃焼制御システム。
【請求項６】
主燃バーナ、再燃バーナは、コントロールダンパで、ガス量、空気量が別々に制御されるものである、請求項１〜５のいずれかの項に記載の火葬炉の燃焼制御システム。
【請求項７】
炉内台車上に載せられた柩及びその内部に納められた遺体、副葬品等を燃焼するための主燃バーナ及び主燃焼炉２次空気量ダンパを設けた主燃焼炉と、
前記主燃焼炉に連通して設置され、再燃バーナ及び再燃焼炉２次空気量ダンパを設けた再燃焼炉と、
前記再燃焼炉からの排気を冷却する冷却器と、
前記冷却器の出口に設けられた炉出口ダンパと、
前記再燃焼炉からの排気を誘引する誘引送風機と、
前記排気を大気に排出する排気筒と、
前記主燃焼炉の炉内温度を計測する主燃焼炉温度計と、
前記再燃焼炉の炉内温度を計測する再燃焼炉温度計と、
前記排気中の排煙濃度及び酸素濃度をそれぞれ計測する排煙濃度計及び酸素濃度計とを備えた火葬炉の燃焼制御方法であって、
前記排煙濃度計で計測した排煙濃度が０で、かつ前記酸素濃度計で計測された酸素濃度を所定値以上に保つという条件を満たしながら、前記主燃バーナの出力が早く最大になるようにする主制御と、火葬前半の後期において主燃焼炉の温度が目標温度の範囲内にあれば、所定の開度だけ前記主燃焼炉２次空気量ダンパを一定時間開き、前記主燃焼炉の炉内温度が目標温度の範囲よりも高いときに前記主燃焼炉２次空気量ダンパを閉め、前記主燃焼炉の炉内温度が目標温度の範囲の中に入れば、前記主燃焼炉２次空気量ダンパを一定時間開くという動作を実行する補助制御とを行うことを特徴とする火葬炉の燃焼制御方法。
【請求項８】
前記再燃焼炉温度計または前記再燃焼炉の出口に設けた再燃焼炉出口温度計で計測した再燃焼炉温度信号に基づき、前記再燃焼炉の温度が目標温度に達しなければ、前記再燃バーナの出力を増し、逆に前記再燃焼炉の温度が上がりすぎた時は、まず、前記再燃バーナを消火し、不十分であれば、前記再燃焼炉２次空気量ダンパを開度調節して再燃焼炉２次空気の吹込量を増加し、それでも不足の場合は、前記再燃バーナより空気のみを投入することを特徴とする請求項７記載の火葬炉の燃焼制御方法。
【請求項９】
排煙濃度が０から小さくジャンプを繰り返し出したときに、炉内圧を負圧ぎみにし、前記主燃バーナの出力を下げ、これでも排煙濃度が上昇する場合には、ただちに前記主燃バーナを停止し、炉内圧を負圧ぎみにすることを特徴とする請求項７または８に記載の火葬炉の燃焼制御方法。
【請求項１０】
前記主燃焼炉における酸素濃度の変化率を演算し、これが一定以上になると、前記主燃バーナを消火するという制御を行うことを特徴とする請求項７〜９のいずれかの項に記載の火葬炉の燃焼制御方法。
【請求項１１】
前記主燃焼炉の温度が一定温度より高い場合に、主燃焼炉２次空気の吹き込みを、所定の吹込みタイミング、吹込み量（時間）で行うことを特徴とする請求項７〜１０のいずれかの項に記載の火葬炉の燃焼制御方法。
【発明の詳細な説明】
【技術分野】
【０００１】
本発明は、火葬炉の燃焼制御システムおよび火葬炉の燃焼制御方法に関する。
【背景技術】
【０００２】
近年、火葬場は、旧来のイメージを払拭し、無公害の近代的設備として整備されている。とりわけ、主要設備である火葬炉においては、発煙が無く、臭気を発生させない性能が要求されており、さらには、ダイオキシン類の排出も、ごみ焼却炉と同様に一定値以下にすることが義務づけられる。
【０００３】
一方、火葬炉は、拾骨のために遺骨が残るように遺体を焼却する必要があること、遺体や副葬品、柩の大小、多少に拘わらず、所定の時間内に焼却終了する必要があることなど、通常の焼却機器とは異なる複雑な運転が要求され、かつ失敗が許されない。
【０００４】
また、火葬炉は、火葬の前半は自燃工程、後半はバーナによる直接焼却という、２つのプロセスを一つの炉で行う、非常にユニークな燃焼機器である。さらに、間欠運転となる点もユニークである。
【０００５】
図１は、標準的な火葬工程を示す概略図である。図中、１は冷却室、２は主燃焼炉、３は炉内台車、４は柩、５は架台、６は遺骨を示している。
【０００６】
わが国における火葬は、火葬終了後ただちに焼骨を拾うという習慣があるため、火葬は、移動可能な炉内台車に柩を載せて行われる。この火葬工程を具体的に説明すると、次のようになる。
【０００７】
（ａ）冷却室１内の炉内台車３に柩４を載せる。
（ｂ）炉内台車３を火葬炉の主燃焼炉２に入れ、遺体を柩４や副装品とともに燃焼させ、焼骨にする。
（ｃ）炉内台車３をある程度炉内冷却した後、主燃焼炉２より取り出し、冷却室１にてさらに冷却し、その後、冷却室１前方の拾骨室にて拾骨を行う。
【０００８】
図１に示すように、火葬炉の運転は、一火葬毎に、急加熱→焼却→冷却の工程を行うこととなり、しかもほとんどが、１日に１〜２回程度の運転しか行われない、バッチ運転となる。１回の火葬には、１時間〜１時間半程度の時間を要し、火葬と火葬の間は、３０分から数時間である。
【０００９】
その他、火葬は、遺体を燃焼するという観点から以下の特徴がある。
【００１０】
（１）火葬は、故人の尊厳を守るという見地から、遺体に外部より機械的な力を加えることは好ましくない。
【００１１】
（２）火葬前半においては、柩や副葬品、遺体の皮下脂肪分等の易燃性の物質が多量にあるところに、主燃焼炉炉壁内張のセラミックファイバーの効果で、バーナに点火後、急激に燃焼が起こり、一時的に、燃焼ガスが多量に発生する。この時期の燃焼は、主に自燃であり、燃焼用空気の供給量制御と炉内圧制御が、重要な要素となる。また、この段階では燃焼を暴走させないことが大切であり、火葬炉制御のポイントは、この部分をどのように最適に行うかで、成否が決まる。
【００１２】
（３）火葬後半では、遺体の腹部を中心とした比較的少量の高含水率の難燃焼性物質を、バーナの炎で燃焼させる。この時期の燃焼は主にバーナの炎による直接焼却であり、高温維持と被燃焼物の燃焼面のすみやかな更新が、重要なポイントとなる。
【００１３】
したがって、火葬炉を自動で、最適に運転しようとすると、高度な技術が要求される。
【００１４】
自動運転システムがなかった時代には、各機器は個々の制御因子に対してシングルループ制御を行っていたが、この場合、炉を最適な状態で運転しようとすると、特に火葬前半において、作業員が炉に張り付いていなければならなかった。すなわち、燃焼状態を監視し、各バーナの出力等を手動で調整する必要があった。
【００１５】
また、炉圧制御も、副葬品等の可燃物が多い場合や、遺体の脂肪分が多い場合に、燃焼速度が上がりすぎるため、異常燃焼状態になる場合に備えて、常に引きぎみにする（大きくマイナス側にする）必要があった。この結果、火葬後半の被燃焼物が少なくなった時や、火葬前半であっても、被燃焼物の発熱量が相対的に低い場合に発生した熱を十分に活かせず、主燃焼炉、再燃焼炉ともに、温度が上がりにくい状況になり、温度維持のために無駄な燃料を使用してバーナを焚いていた。
【００１６】
更に、火葬後半では、早く火葬を完了したいという要求から、デレッキという金属の棒で遺体に機械力を加えたり、移動させたりして、燃焼を促進するという手法が取られていた。この結果、当然のことながら、作業員の運転スキルに個人差が生じ、腕の良い作業員とは、このデレッキ棒の使い方が上手で、早く火葬を完了できる人ということになっていた。つまり、「遺体の尊厳を守る」とか、「作業環境の向上」というところとは、はなはだ遠い状況になっていた。
【００１７】
火葬炉の自動運転方法として、従来よりいくつかの提案がなされている。
【００１８】
特許文献１には、主燃焼室内に燃焼対象物の重量を計量する計量装置を設け、この計量装置からの出力信号に基づく燃焼前及び燃焼中の燃焼対象物の重量及び重量変化に応じて、主燃焼室に配設した燃焼バーナの出力を自動制御する火葬炉の燃焼制御法が開示されている。
【００１９】
特許文献２には、前室に続いて流体燃料による主バーナを有する主燃焼室を備え、主燃焼室から煙道を介して流体燃料による副バーナを有する再燃焼室を設け、前記前室から主燃焼室に亘る長さを持った自走式のキャリア台車に棺を載置する火葬台車をキャリア台車に設けた移送手段によって長手方向に摺動可能に載せて、そのキャリア台車を葬祭場の前ホールから前室内へと挿入する火葬炉において、前室から主燃焼室に亘りキャリア台車を載置する連続支持体を、火葬台車の荷重を検出する前ロードセルと主ロードセルとで担持すると共に、前ロードセルの検出信号に応じて副バーナを先行して自動的に起動すると共に主バーナの燃料供給量と稼働時間を規制する火葬パターン制御手段と、該火葬パターン制御手段に主ロードセルの検出信号で火葬状況を修正する修正手段とを設け、温度センサーとタイマーとによって、再燃焼室内が未燃焼ガスの燃焼に適するまで加熱された状況を検知する環境検出手段を設け、該環境検出手段の出力と火葬パターン制御手段の出力とで主バーナを起動する火葬炉が開示されている。
【００２０】
特許文献３には、燃焼炉に設けた燃焼温度検出手段の出力信号に基づきバーナの火力と炉内部からの排気量を制御する制御装置において、着火から消火に至る理想的な燃焼温度の時系列データを保持するための理想データ記憶部と、燃焼温度の時系列データに沿って燃焼すべく着火から消火に至るバーナの火力設定を司るシーケンス制御手段と、現燃焼温度と理想的な燃焼温度の時系列データとを適宜比較し現燃焼温度の方が高い場合は排気量を増し、現燃焼温度の方が低い場合は排気量を減ずる制御をするための排気量制御手段を具備する炉の燃焼制御装置が開示されている。
【００２１】
特許文献４には、所定の燃焼用バーナ並びに空気供給部を具備した燃焼室に、炉内温度センサを配置すると共に、前記バーナの燃料供給量並びに空気供給量の制御部を設け、炉内温度センサによって計測した炉内温度の温度変化率を基準としてバーナの燃料供給量並びに空気供給量を制御する火葬炉の燃焼方法が開示されている。
【００２２】
【特許文献１】特公平３−９３６５号公報
【特許文献２】特許３８７８２４７号公報
【特許文献３】特許３７９５５５４号公報
【特許文献４】特開平９−２７３７２２号公報
【発明の開示】
【発明が解決しようとする課題】
【００２３】
前掲の特許文献１に開示された火葬炉の燃焼制御法は、燃焼対象物の重量及び重量変化に応じて燃焼バーナの出力を自動制御するものであるが、燃焼対象物（柩、遺体、副葬品）の重量と重量変化だけでは、主燃焼室での燃焼対象物の焼却はできても、排ガス基準を満たすまでの細かな燃焼制御は困難である。
【００２４】
特許文献２に開示された火葬炉では、前ロードセルの検出信号に応じて主バーナの燃料供給量及び稼働時間を規制する火葬パターン制御手段を設けたことにより、棺を載せた火葬台車を前室内に挿入した時点で、火葬体の荷重を検知することができ、火葬パターン制御手段を前記検出信号に応じて駆動することにより、各火葬体に従って適切な火葬処理を行うことができようになり、また、主ロードセルによって、先に与えられた火葬パターンを修正して火葬処理できるようになると記載されているが、特許文献１と同様に、排ガス基準を満たすまでの細かな燃焼制御は困難である。
【００２５】
特許文献３に開示された燃焼制御装置では、主燃焼室のサンプリング口に温度センサと圧力センサを配置して、両センサの出力を元に、理想データ記憶部と、シーケンス制御手段と、排気量制御手段と、火力修正手段を制御するものであるが、主燃焼室の出口の温度と圧力のみでは、排ガスの発煙や臭気、さらには、ダイオキシン濃度を基準値以下に低減する燃焼制御は困難である。
【００２６】
特許文献４に開示された燃焼方法では、炉内温度センサによって計測した炉内温度の温度変化率を基準としてバーナの燃料供給量並びに空気供給量を制御するものであるが、これも、排ガス基準を満たすまでの細かな燃焼制御は困難である。
【００２７】
そこで本発明は、習熟を要することなく、一定レベル以上の火葬が簡単にでき、かつ、排ガス基準を満たす細かな燃焼制御を行うことのできる火葬炉の燃焼制御システムおよび火葬炉の燃焼制御方法を提供することを目的とする。
【課題を解決するための手段】
【００２８】
前記課題を解決するため、本発明の第１の構成は、
炉内台車上に載せられた柩及びその内部に納められた遺体、副葬品等を燃焼するための主燃バーナ及び主燃焼炉２次空気量ダンパを設けた主燃焼炉と、
前記主燃焼炉に連通して設置され、再燃バーナ及び再燃焼炉２次空気量ダンパを設けた再燃焼炉と、
前記再燃焼炉からの排気を冷却する冷却器と、
前記冷却器の出口に設けられた炉出口ダンパと、
前記再燃焼炉からの排気を誘引する誘引送風機と、
前記排気を大気に排出する排気筒と、
前記主燃焼炉の炉内温度を計測する主燃焼炉温度計と、
前記再燃焼炉の炉内温度を計測する再燃焼炉温度計と、
前記排気中の排煙濃度及び酸素濃度をそれぞれ計測する排煙濃度計及び酸素濃度計と、
前記排煙濃度計で計測した排煙濃度が０で、かつ前記酸素濃度計で計測された酸素濃度を所定値以上に保つという条件を満たしながら、前記主燃バーナの出力が早く最大になるようにする主制御と、火葬前半の後期において主燃焼炉の温度が目標温度の範囲内にあれば、所定の開度だけ前記主燃焼炉２次空気量ダンパを一定時間開き、前記主燃焼炉の炉内温度が目標温度の範囲よりも高いときに前記主燃焼炉２次空気量ダンパを閉め、前記主燃焼炉の炉内温度が目標温度の範囲の中に入れば、前記主燃焼炉２次空気量ダンパを一定時間開くという動作を実行する補助制御とを行う主燃焼炉温度制御手段と
を備えたことを特徴とする火葬炉の燃焼制御システムである。
この第１の構成においては、主制御により、排煙濃度を０に保つという基本目標の下に、燃焼時間が最速になるように主燃バーナを制御すると共に、主燃焼炉の温度が高くなりすぎて、遺骨の形状を留めなくなるまでに加熱しないように、補助制御による温度制御を行う。
なお、上記において、「２次空気量」に対して「１次空気量」を規定していないが、本発明において「１次空気量」とは、主燃バーナおよび再燃バーナの燃料に混合する空気量（主燃焼炉においては、これに外部からのリーク空気量を加えた量）を指すものとする。
【００２９】
本発明の第２の構成は、第１の構成において、前記再燃焼炉温度計または前記再燃焼炉の出口に設けた再燃焼炉出口温度計で計測した再燃焼炉温度信号に基づき、前記再燃焼炉の温度が目標温度に達しなければ、前記再燃バーナの出力を増し、逆に前記再燃焼炉の温度が上がりすぎた時は、まず、前記再燃バーナを消火し、不十分であれば、前記再燃焼炉２次空気量ダンパを開度調節して再燃焼炉２次空気の吹込量を増加し、それでも不足の場合は、前記再燃バーナより空気のみを投入する再燃焼炉温度制御手段を設けたことを特徴とする。
この第２の構成においては、火葬の進行に伴って被燃焼物が減少していくことから、主燃焼炉において発生する排ガス量もそれにしたがって減少することに対応して、再燃焼炉における再燃工程を、経済的に行うようにしたものである。
【００３０】
本発明の第３の構成は、第１または第２の構成において、前記主燃焼炉には、前記炉内台車上の柩を所定高さ浮かせて、そこに２次空気を吹き込む２次空気口を複数、側壁に設けたことを特徴とする。
炉内台車上に載せた柩は、炉内台車の上面と密着しているため酸素が供給されにくく、その底部の温度が上がりにくいため、柩内部の遺体の一部は難燃部となる。そこで、この第３の構成においては、炉内台車上の柩を所定高さ浮かせて、そこに２次空気を吹き込む２次空気口を複数、側壁に設けて難燃部を主燃バーナの炎で包み込むことにより、遺体の燃焼を促進する。
【００３１】
本発明の第４の構成は、第１〜第３の構成において、前記主燃焼炉に送り込む主燃焼炉用２次空気と、前記主燃バーナに送り込む空気と、前記再燃焼炉に送り込む再燃焼炉用２次空気と、前記再燃バーナに送り込む空気とを生成する燃焼用送風機を設け、前記燃焼用送風機のヘッダーにおける空気圧を一定にするために、インバータを用いて、前記燃焼用送風機の回転数制御を行う圧力一定制御手段を設けたことを特徴とする。
この第４の構成においては、燃焼の三要素の一つである酸素、すなわち、空気量を自在に調整する方法として、燃焼用送風機を設け、ヘッダーにおける空気圧を一定にするために、インバータを用いて、燃焼用送風機の回転数制御を行う。各ラインの空気調整用ダンパの制御により、自在に空気を供給することができる。
【００３２】
本発明の第５の構成は、第１〜第４の構成において、前記再燃焼炉の圧力の信号に基づいて、前記誘引送風機の回転数制御と、炉圧制御ダンパによる炉内圧の制御を行う圧力制御手段を設けたことを特徴とする。
炉内圧の制御がうまくいかないと、引きが十分でないとき燃焼ガスが炉から吹き出し、また、燃焼ガスが炉内台車の下部にまわり、炉内台車の車輪等を損傷する。逆に、引きが大きすぎるときは、外部からのリーク空気が多量に炉内に入り、炉温が上昇しにくい。そこで、この第５の構成においては、再燃焼炉の圧力の信号に基づいて、誘引送風機の回転数制御と、炉圧制御ダンパによる炉内圧の制御を行うことにより、炉内圧を制御し、燃焼ガスの吹き出しを防止すると共に、炉温を効率的に上昇させる。
【００３３】
本発明の第６の構成は、第１〜第５の構成において、主燃バーナ、再燃バーナは、コントロールダンパで、ガス量、空気量が別々に制御されるものである。
この第６の構成においては、空燃比を自在に変えることができ、この結果、炎の最高温度部の位置を、主燃バーナ、再燃バーナを動かすことなく変化させることが可能となり、また、空気のみを送風することも可能となる。
【００３４】
本発明の第７の構成は、
炉内台車上に載せられた柩及びその内部に納められた遺体、副葬品等を燃焼するための主燃バーナ及び主燃焼炉２次空気量ダンパを設けた主燃焼炉と、
前記主燃焼炉に連通して設置され、再燃バーナ及び再燃焼炉２次空気量ダンパを設けた再燃焼炉と、
前記再燃焼炉からの排気を冷却する冷却器と、
前記冷却器の出口に設けられた炉出口ダンパと、
前記再燃焼炉からの排気を誘引する誘引送風機と、
前記排気を大気に排出する排気筒と、
前記主燃焼炉の炉内温度を計測する主燃焼炉温度計と、
前記再燃焼炉の炉内温度を計測する再燃焼炉温度計と、
前記排気中の排煙濃度及び酸素濃度をそれぞれ計測する排煙濃度計及び酸素濃度計とを備えた火葬炉の燃焼制御方法であって、
前記排煙濃度計で計測した排煙濃度が０で、かつ前記酸素濃度計で計測された酸素濃度を所定値以上に保つという条件を満たしながら、前記主燃バーナの出力が早く最大になるようにする主制御と、火葬前半の後期において主燃焼炉の温度が目標温度の範囲内にあれば、所定の開度だけ前記主燃焼炉２次空気量ダンパを一定時間開き、前記主燃焼炉の炉内温度が目標温度の範囲よりも高いときに前記主燃焼炉２次空気量ダンパを閉め、前記主燃焼炉の炉内温度が目標温度の範囲の中に入れば、前記主燃焼炉２次空気量ダンパを一定時間開くという動作を実行する補助制御とを行うことを特徴とする火葬炉の燃焼制御方法である。
この第７の構成においては、主制御により、排煙濃度を０に保つという基本目標の下に、燃焼時間が最速になるように主燃バーナを制御すると共に、主燃焼炉の温度が高くなりすぎて、遺骨の形状を留めなくなるまでに加熱しないように、補助制御による温度制御を行う。
【００３５】
本発明の第８の構成は、第７の構成において、前記再燃焼炉温度計または前記再燃焼炉の出口に設けた再燃焼炉出口温度計で計測した再燃焼炉温度信号に基づき、前記再燃焼炉の温度が目標温度に達しなければ、前記再燃バーナの出力を増し、逆に前記再燃焼炉の温度が上がりすぎた時は、まず、前記再燃バーナを消火し、不十分であれば、前記再燃焼炉２次空気量ダンパを開度調節して再燃焼炉２次空気の吹込量を増加し、それでも不足の場合は、前記再燃バーナより空気のみを投入することを特徴とする。
この第８の構成においては、火葬の進行に伴って被燃焼物が減少していくことから、主燃焼炉において発生する排ガス量もそれにしたがって減少することに対応して、再燃焼炉における再燃工程を、経済的に行うようにしたものである。
【００３６】
本発明の第９の構成は、第７または第８の構成において、排煙濃度が０から小さくジャンプを繰り返し出したときに、炉内圧を負圧ぎみにし、前記主燃バーナの出力を下げ、これでも排煙濃度が上昇する場合には、ただちに前記主燃バーナを停止し、炉内圧を負圧ぎみにすることを特徴とする。
この第９の構成においては、炉内圧を負圧ぎみにすることにより、主燃焼炉のリーク空気が増え、燃焼用空気が供給されることになり、不完全燃焼が解消される。また、主燃バーナの出力を下げるか消すことにより主燃焼炉２次空気量をしぼることにより、排煙をほぼ確実に止めることができる。
【００３７】
本発明の第１０の構成は、第７〜第９の構成において、前記主燃焼炉における酸素濃度の変化率を演算し、これが一定以上になると、前記主燃バーナを消火するという制御を行うことを特徴とする。
この第１０の構成においては、発煙する以前に制御を開始することにより、より最適な燃焼を行うことが可能となる。
【００３８】
本発明の第１１の構成は、第７〜第１０の構成において、前記主燃焼炉の温度が一定温度より高い場合に、主燃焼炉２次空気の吹き込みを、所定の吹込みタイミング、吹込み量（時間）で行うことを特徴とする。
この第１１の構成においては、遺体の難燃部の燃焼促進制御を目的とするものであり、主燃焼炉温度が低いときには主燃焼炉温度が下がらないように主燃焼炉２次空気の吹き込みを行わず、主燃焼炉の温度が一定温度より高い場合に２次空気の吹き込みを行うようにして、燃焼促進を図るものである。
【発明の効果】
【００３９】
本発明によれば、燃焼の自動化により、習熟を要することなく、一定レベル以上の火葬が簡単にでき、かつ、排ガス基準を満たす細かな燃焼制御を行うことのできる火葬炉の燃焼制御システムおよび火葬炉の燃焼制御方法が得られる。
【発明を実施するための最良の形態】
【００４０】
以下、本発明の実施の形態を、図面を用いながら説明する。
効率よく自動運転を行うためには、炉の各機器の性能を維持しつつ、炉をコンピュータ制御に適したシステムにする必要がある。このために他の火葬炉にはない種々の工夫を施しているが、以下にそれを述べる。
【００４１】
現行の一般的な火葬炉の燃焼制御システムの構成を図２に示す。
図２において、１，１’は冷却室、２，２’は主燃焼炉、７，７’は再燃焼炉、８，８’は冷却器、９，９’は炉出口ダンパ、１０はバグフィルタ、１１は触媒、１２は誘引送風機、１３は排気筒である。なお、この火葬炉の燃焼制御システムでは、冷却室１，１’〜炉出口ダンパ９，９’を２系統備えており、共通のバグフィルタ１０〜排気筒１３を設けているが、１系統でも、３系統以上のシステムでも構わない。
【００４２】
本実施の形態において、悪臭やダイオキシン類等の排出防止のため、火葬炉には再燃焼炉７，７’およびバグフィルタ１０、ダイオキシン類分解触媒１１等が取り付けられているが、とりわけ、再燃焼炉７，７’の設計および運転法は非常に重要である。それは、再燃焼炉７，７’が火葬炉における公害防止機器の中心となる設備であり、再燃焼炉７，７’の運転状態の善し悪しが、排ガスの質に大きく影響し、結果としてバグフィルタ１０の寿命や触媒塔の触媒１１の寿命を左右し、かつ、バグフィルタ１０で集められた飛灰の質に影響することになるからである。
【００４３】
主燃焼炉２、２’は被燃焼物の燃焼をつかさどるところであり、前述の火葬前半および火葬後半に対応するための工夫が凝らしてある。２次空気の吹込口は、炉内台車の上１２ｃｍ程度の側壁に両側数か所ずつ設けてある。図３に、（ａ）火葬前半、（ｂ）火葬後半における主燃焼炉内の状況を示す。
【００４４】
火葬点火直前においては、図３（ａ）のように、柩４が主燃焼炉２の容積の８０％程度を占めていて、点火後に、被燃物の容積が徐々に減少する。この場合、不足する燃焼用空気は、炉内台車３と側壁の間を通って炉内に入ってくるリーク空気と、２次空気で補われることになる。柩４の中の副葬品が多い場合や、遺体の脂肪分が高い場合、２次空気の過度の使用は、燃焼をあおりすぎることになるので、燃焼が暴走しないように２次空気量をコントロールすることが必要である。リーク空気量は、炉内圧に反比例するが、炉内台車３の下部に高温の燃焼ガスが入り込まないように主燃焼炉２を常に負圧に保つ必要があるので、常に主燃焼炉内にリーク空気は導入されている。
【００４５】
火葬後半においては、図３（ｂ）に示すように、遺体の腹部を中心とした水分の多い、いわゆる難燃部を主燃バーナ１４の火炎により焼却することとなる。難燃部は、表面が主燃バーナ１４の炎の熱により炭化して、炭素被膜でおおわれたような状態となる。このような状態では、外部をおおっている炭素の熱伝導率が小さいことと、炭素被膜により、酸素の拡散が阻止されることから、さらに燃焼が困難な状況となる。この難燃物の燃焼の促進は、表面の炭素被膜をうまく燃やしてやることが、ポイントとなる。
【００４６】
そのためには、
（１）難燃部の温度上昇のための熱の効率的供給、
（２）難燃部燃焼のための空気（酸素）の効率的供給、
が必要である。
（１）では、水分の蒸発熱をうまく供給してやるのはもちろんのこと、全面の炭素を効率的に燃焼させるために１０００℃以上の高温保持が必要となる（大気汚染全国協議会編：大気汚染ハンドブック（３）、燃焼編、コロナ社（１９７３）参照）。
これを実現するために、架台５を使用して炉内台車３より１０ｃｍ程度浮かせて、遺体Ｂの難燃部を主燃バーナ１４の炎でつつみ込む。また、（２）を実現するために、炉壁の２次空気口より高速の空気を遺体Ｂの難燃部に向けて吹き込む。
【００４７】
主燃焼炉２から排出される排ガスの量は均一ではなく、特に火葬前半は量も多く、不完全燃焼の状態で排出される。これを完全燃焼させるために、図４（ａ）に示すように、再燃焼炉７が主燃焼炉２に続いて設置される。再燃焼炉７には、昇温と温度維持のために再燃バーナ１５を設置し、また、酸素濃度維持のための２次空気の吹き込み口１６を再燃バーナ１５の下部に設けている。再燃焼炉７には混合性の良さ、および十分なガスの滞留時間が必要であるが、図４（ｂ），（ｃ）に示す構造の通り、炉内に適当な絞り１７，１８を設けることにより、燃焼ガスと２次空気の混合性を確保している。これらの混合特性は、藤原健史らの研究「バッチ式焼却炉のごみ燃焼モデルの開発」（藤原健史、鈴木悠司、武田信生、高岡正輝、江口正司：バッチ式焼却炉のごみ燃焼モデルの開発、学会誌「ＥＩＣＡ」、第７巻、第２号９３−９６（２００２））で検証されている。再燃焼炉７の容量は、最大排ガス量に対し燃焼ガスの滞留時間が２秒以上確保される大きさとしている。再燃焼炉７は、主燃焼炉２に続いて設置されるため、主燃焼炉２の炉圧制御性は、再燃焼炉７の炉内圧変動に対する応答特性にかかっている。再燃焼炉７の圧力損失が大きいと、応答特性も下がる。したがって、混合特性を維持しつつ、圧力損失が比較的小さい構造とし、図４のような構造を採用した。
【００４８】
燃焼の三要素の一つである酸素、すなわち、空気を供給するシステムは物を燃焼させる上で重要なファクターである。
空気量を自在に調整する方法として、図５に示すように、燃焼用送風機２０とコントロールダンパ２１ａ〜２１ｄによるシステムを構築し、ヘッダー２２における空気圧を一定にするために、インバータ２３を用いて、燃焼用送風機２０の回転数制御を行っている。ヘッダー２２に設けた圧力計２４で燃焼用送風機２０のヘッダー圧力を計測し、各ラインのコントロールダンパ２１ａ〜２１ｄを調節器２５により制御することにより、主燃バーナ用空気、主燃焼炉用２次空気、再燃バーナ用空気、再燃焼炉用２次空気を、自在に供給することができる。
【００４９】
炉にとって炉内圧力の制御は極めて重要であり、炉内圧力の制御の善し悪しがその炉の性能を決定づけるといっても過言ではない。
炉内圧の制御がうまくいかないと
（１）引きが十分でないとき
・燃焼ガスが炉から吹き出す。
・燃焼ガスが炉内台車の下部にまわり、炉内台車の車輪等を損傷する。
（２）引きが大きすぎるとき
・外部からのリーク空気が多量に炉内に入り、炉温が上昇しにくい。
（２）の場合、炉温を維持するための燃料消費量が増大し、結果として、排ガス量が増えることになり、省エネルギーの観点からも好ましくない。
炉内圧の制御は、図６に示すように、炉出口ダンパ９，９’と誘引送風機１２により行うシステムを構築している。各再燃焼炉７，７’の圧力の信号を調節器２６に送り、誘引送風機１２の回転数制御と、炉出口ダンパ９，９’とによって、炉内圧を制御する方法である。
【００５０】
バーナ（主燃バーナ１４，再燃バーナ１５）は、図７に示すように、コントロールダンパ２９ａ，２９ｂで、ガス量、空気量を、調節器２８により別々に制御するシステムとしている。このことにより、主燃バーナ１４と再燃バーナ１５の空燃比を自在に変えることができ、この結果、炎の最高温度部の位置を、バーナ１４，１５を動かすことなく変化させることが可能となる。また、空気のみを送風することも可能である。
【００５１】
燃焼に関わる制御システムの構成を図８に示す。制御用コンピュータ３０は、計測信号の入力が６点、操作信号の出力が６点となっている。本実施形態では、計測信号は、主燃焼炉温度計３１、炉内圧計３２、再燃焼炉温度計３３、再燃焼炉出口温度計３４、酸素濃度計３５、排煙濃度計３６であり、操作信号は、主燃焼炉２次空気量ダンパ３７、主燃焼炉バーナ出力３８、再燃焼炉２次空気量ダンパ３９、再燃焼炉バーナ出力４０、炉出口ダンパ４１、誘引送風機回転数４２である。操作側とのインターフェイスには、液晶表示器等の操作盤タッチパネル４３を採用し、各々のデータの表示や、各機器の運転状態の表示を行うとともに、各機器のマニュアル操作も行えるようにしている。
【００５２】
＜制御の構成＞
制御の構成は、図９に示すようであり、主制御は、６つのサブ制御を伴っていて、かつ、経験則による制御を通して相互に連動している。本実施形態のサブ制御は、主燃焼炉温度制御、再燃焼炉温度制御、炉内圧制御、再燃焼炉酸素濃度制御、排煙濃度制御、燃焼促進制御である。
【００５３】
（１）主制御
主制御は、火葬炉本来の目的が、遺体を焼却して、早く焼骨にするということであるから、排煙濃度計３６の値を０に保ち、酸素濃度を６％以上（火葬初期は３％程度以上）に保ちながら、主燃バーナ１４の出力を早く最大にするという、極めて単純なものである。
【００５４】
（２）主燃焼炉温度制御
主燃焼炉の温度の制御は、図１０に示すように、主燃焼炉温度計３１の信号を制御用コンピュータ３０に取り込んで、主燃バーナ１４の出力および主燃焼炉２次空気量を変化させるが、主たる操作は、主燃バーナ１４の出力である。すなわち、炉温が低ければ、主燃バーナ１４の出力を上昇させ、炉温が高くなれば、主燃バーナ１４の出力を低下させる。しかしこの制御方法では、火葬の前半では、被燃焼物が多量に主燃焼炉２内にあるために、主燃バーナ１４は最小、または消火の状態を維持することになることから、主燃焼炉２次空気量の操作が重要となる。火葬前半で主燃焼炉２次空気を導入すると、主燃焼炉２の温度は一般的に上昇する傾向があるが、実際には、被燃焼物の発熱量および主燃焼炉２次空気導入のタイミング、量に左右されるため降下する場合もある。この時点で、燃焼が暴走し、まったく手の付けられない状態になることだけは、絶対に避けなければならない。何故なら、燃焼させているのは遺体であって、水をかけて燃焼を減速させるような処置はとれないからである。この解決策として、経験則に基づく制御の追加を行い、目標温度の範囲（８００℃〜１１００℃程度）内で主燃焼炉温度制御を行っている。ここでは、「２次空気を吹き込んだときに、温度が上昇すれば、被燃焼物の発熱量が高く、下降すれば、発熱量が低い」という経験則を基に制御ロジックを構成している。すなわちまず、火葬前半の後期において温度の条件が満たされれば、Ｘ％だけ２次空気量ダンパを一定時間開く。この時、目標温度の範囲の中にあれば、目標の動作を繰り返し、そうでなければ、この動作はやめる。ここで、時間および温度条件、目標温度は、経験によって決められた値を使用していて、被燃焼物の発熱量が大きい場合に主燃バーナ１４の最低出力または、消火の状態で、２次空気のみで良好な燃焼を行うことができる。
もちろん、被燃焼物の発熱量が小さい時は、主燃バーナ１４の出力が上昇し、燃焼を維持しようとする制御が働く。
【００５５】
（３）再燃焼炉温度制御
図１１に再燃焼炉の温度制御系統を示す。再燃焼炉７の温度制御は、再燃焼炉出口温度計３４または再燃焼炉温度計３３の信号を制御用コンピュータ３０に取り込んで、再燃バーナ１５の出力を変化させることが主である。再燃焼炉７の温度が目標温度に達しなければ、再燃バーナ１５の出力を増し、逆に再燃焼炉７の温度が上がりすぎた時は、まず、再燃バーナ１５を消火し、不十分であれば、再燃焼炉２次空気の吹込量を増加し、それでも不足の場合は、再燃バーナ１５より空気のみを投入する。再燃焼炉２次空気量および再燃バーナ１５からの空気量は、コントロールモーター付ダンパ２１ａで自在に制御できる。ここでは、再燃バーナ１５を消火するタイミングと、再燃焼炉７に設置された２つの温度計３３，３４の使用法に経験則を用いている。
【００５６】
火葬は、被燃焼物が減少していくことから、排ガス量もそれに伴って減少するので、最大ガス量に対して設計された再燃焼炉を、最初から最後まで同じ状態で使用するのは不経済である。
【００５７】
したがって、次のような制御を行っている。
（ａ）火葬前半
・再燃焼炉を代表する温度を測定する温度計として、再燃焼炉７の上段に設置した再燃焼炉出口温度計３４を使用する。
・再燃バーナ１５を着火状態にする。
【００５８】
（ｂ）火葬後半
・再燃焼炉７を代表する温度を測定する温度計として、再燃焼炉７の中段に設置した再燃焼炉温度計３３を使用する。
・再燃バーナ１５を消火する。
ここで問題となるのが、火葬前半と後半の見極めであり、この判断に経験則を使用している。火葬時間、主燃バーナ出力、主燃焼炉２次空気量、主燃焼炉温度変化率により、主燃焼炉が、主燃バーナ１４を中心とした焼却状態か否かを見極め、この時点以降を後半と判断し、（ｂ）の制御を行っている。判断基準値は全て経験則により決定した。この改善により、燃料使用量が削減された。
【００５９】
（４）炉内圧制御
本火葬システムでは、図１２に示すように、２炉の火葬炉Ｃ，Ｃ’に対して、１つの誘引送風機１２が設けられているため、２つの火葬炉Ｃ，Ｃ’の制御用コンピュータ３０，３０’が連携して誘引送風機１２を操作し、それぞれの炉内圧を制御している。２台の制御用コンピュータ３０，３０’の内、１台が誘引送風機１２の操作権を持つ。また、２台の制御用コンピュータ３０，３０’は、相互に通信し合って、情報の共有化を行っている。
【００６０】
制御法は、２つの火葬炉内圧の内、高い方、例えば火葬炉Ｃを制御対象とし、設定した炉内圧が維持されるよう、誘引送風機１２を制御する。こうすると、他方の火葬炉Ｃ’は負圧が大きくなり、いわゆる、引きすぎの状態になる。この他方の火葬炉Ｃ’の炉出口ダンパ９’を所定の圧力になるまで閉めることにより、設定した圧力となる。制御用コンピュータ３０，３０’は、図１３に示すように、相互に結合されていて、共通部Ｄ（誘引送風機１２）の操作権の切り替えが可能であるとともに、一方の制御用コンピュータがダウンしても、他方の制御用コンピュータで制御が補完できる二重化システムとなっている。
【００６１】
炉内圧制御は、「火葬前半は、多量の燃焼ガスが急激に発生するので、炉内圧は負圧を若干大きくとったほうがよく、後半は、少ない燃料で主燃焼炉温度を高温に維持するために、負圧を小さくした方がよい」という経験則に基づいて行う。具体的には、たとえば、「主燃バーナ点火から、柩着火確認までは、圧力Ｙ１に設定。」「柩着火確認から、Ｘｉ分未満までは、圧力Ｙ２に設定」というように、炉内圧力の目標値を火葬工程に合わせて細かく９段階に設定し変更する。ここで、Ｘｉ，Ｙｉの値は経験則により決定された値である。この方法も燃料使用量の削減に役立っている。
【００６２】
（５）排煙濃度制御
この制御の系統を図１４に示す。排煙濃度とは、煙道に対向して投光器、受光器を取り付け、測定光の減衰度を演算し、ダスト濃度を「光透過率濃度（％ＯＰＡＣＩＴＹ）」で示した値である。排煙濃度の制御は、再燃焼炉に酸素濃度計が設置されるまでは、燃焼制御の中心となる最も重要な制御であった。そもそも、ダスト濃度が高くなるということは再燃焼炉制御システムが正常に機能している条件下では、再燃焼炉の処理能力を越えて燃焼ガスが発生していることを意味している。ダスト濃度を下げる方法としては一般的に以下の方法がある。
【００６３】
（ａ）炉内圧を引きぎみにする。主燃焼炉２のリーク空気が増え、燃焼用空気が供給されることになり、不完全燃焼が解消される。
（ｂ）主燃バーナ１４の出力を下げる、または消す。主燃焼炉２次空気量をしぼる。
【００６４】
この制御は、経験則に基づいている。（ａ）の段階で排煙が消える場合、燃焼ガス量は、再燃焼炉容量に対してさほど多くないと考えられるのに対し、（ｂ）の段階で、しかも主燃バーナ１４を消すことのみによって排煙が消える場合は、燃焼ガスは再燃焼炉容量を大幅に越えていることを意味する。したがって、排煙濃度計３６の針が、０から小さくジャンプを繰り返し出すと、炉内圧を負圧ぎみにし、主燃バーナ１４の出力を下げる。これでも排煙濃度計が上昇するようであったら、ただちに主燃バーナ１４を停止し、炉内圧を負圧ぎみにする。この段階でほぼ確実に排煙が防止できる。ただし、この排煙濃度制御は、排煙が検出されて始めて制御がかかるので、いわゆる後追い制御となる。
【００６５】
（６）酸素濃度制御
図１５に示すように、再燃焼炉７出口の酸素濃度を、再燃バーナ１５の出力と再燃焼炉２次空気の量で制御する。酸素濃度の目標値は通常で６％、火葬前半で３％程度としている。再燃焼炉２次空気量のみで酸素濃度が目標値に届かない時には、再燃バーナ１５を停止して、空気のみを再燃バーナ１５から吹き込む。酸素濃度と排煙濃度には明らかな相関があるため、炉の状況をもとに、経験則で操作できる。基本的には、酸素濃度が１％を切れば確実に発煙する。したがって、この経験則を使って、主燃バーナ１４と主燃焼炉２次空気量を排煙濃度制御と同様に操作することができる。しかも、排煙濃度制御が後追い制御、つまり、排煙が出てから制御を行うのに対し、発煙する以前に制御を開始して、より最適な燃焼を行うことが経験則で可能となった。一般的に発煙しそうになると、急速に酸素濃度が減少するという現象から、酸素濃度の変化率を演算し、これが一定以上になると、主燃バーナ１４を消火するという制御を行うこととした。ここで、この変化率の値が変わる点は経験値となる。この制御を導入することで、ほぼ確実に発煙を止めることが可能となった。このことから、酸素濃度制御を行えば、排煙濃度制御は副次的な制御となった。したがって、現在では、排煙濃度制御は、酸素濃度制御のバックアップとしての位置づけとしている。
【００６６】
（７）燃焼促進制御
図１６に燃焼促進制御の系統を示す。主燃焼炉２の説明の項で火葬後半における遺体Ｂの難燃部の燃焼の促進について述べたが、主燃焼炉２次空気の吹込み方法が、重要なポイントとなる。すなわち、主燃焼炉温度条件、吹込みタイミング、吹込み量である。これらは、経験則で決め、主燃焼炉温度計３１で計測した主燃焼炉温度に基づき、制御用コンピュータ３０に予め設定している。温度条件については、一定温度より高い場合しか２次空気の吹き込みを行わないとした。これは、主燃焼炉温度が低いと、燃焼促進効果が小さいことに加え、かえって主燃焼炉温度を下げてしまい、昇温のためにムダな燃料を使用するからである。吹込みタイミング、吹込み量（時間）のいずれも経験則で決定している。
【００６７】
＜制御結果＞
実運転における、自動燃焼システムによる炉内圧力、温度（主燃焼炉、再燃焼炉）、酸素濃度、排煙濃度、一酸化炭素濃度の制御結果を図１７〜図２０に示す。炉内圧力については、ほぼ、−３０Ｐａ〜−１０Ｐａの範囲に入り、しかも、火葬後半に進むにつれ、負圧の大きさが小さくなっていることがわかる。次に、主燃焼炉、再燃焼炉温度も、要求される温度領域を維持している。また、酸素濃度も火葬前半においては３％、後半においては６％以上をキープしている。一酸化炭素の発生も極めて小さい。火葬初期には少量発生しているがこれは、燃料に灯油を使用したため、着火時に一酸化炭素が発生するという理由による。なお、本炉は、手動操作は一切行っておらず、全般に亘って、自動運転されている。また、デレッキ操作も一切行っていない。以上の事により、本自動燃焼システムは、極めて有効な火葬炉の燃焼システムといえる。
【００６８】
＜まとめ＞
火葬炉の燃焼制御システムに経験則を取り入れ、制御の安定性と速応性を向上させた。本実施の形態の効果をまとめると以下のとおりである。
【００６９】
１）火葬は、前半は、被燃焼物が多量に主燃焼炉に存在するため自燃となり、後半は、水分の多い遺体の腹部を、主燃バーナの火力で焼却するという、１つの炉で２つの異なる燃焼方式を行うユニークな燃焼工程であり、これを効率良く行うために、主燃焼炉の炉壁に２次空気吹込口、および炉内台車上に架台を設けた。
【００７０】
２）主燃焼炉から、再燃焼炉に導入される排ガスは、量的に変化するが、これを効率良く運転するために、再燃焼炉の炉型を円筒型竪型とし、内部に絞りを二段設けることにより排ガスの混合性を向上させた。また、酸素濃度制御を取り入れた。さらに炉圧制御応答性を向上させた。
【００７１】
３）バーナの出力制御、燃焼用空気の供給量制御、炉圧制御を制御用コンピュータにより行えるようにシステムを構成した。
【００７２】
４）燃焼制御プログラムは、燃焼理論に加えて経験則を取り入れ作成した。この結果、間欠運転であっても、主燃焼炉では安定した燃焼が行われ、炉圧制御の速応性の向上と相俟って再燃焼炉でも安定した燃焼が行われる。
以上の結果として、安定した燃焼が行われる火葬炉が完成した。
【産業上の利用可能性】
【００７３】
本発明は、燃焼の自動化により、一定レベル以上の火葬が誰にでも簡単にでき、かつ、排ガス基準を満たす細かな燃焼制御を行うことのできる火葬炉の燃焼制御システムおよびその燃焼制御方法として好適に利用することができる。
【図面の簡単な説明】
【００７４】
【図１】現行の標準的な火葬工程を示す説明図である。
【図２】現行の一般的な火葬炉の燃焼制御システムを示すブロック図である。
【図３】本発明の実施の形態における主燃焼炉内の状況を示す概略図である。
【図４】本発明の実施の形態における再燃焼炉の構造を示す概略図である。
【図５】本発明の実施の形態における空気供給システムを示す概略図である。
【図６】本発明の実施の形態における炉圧制御システムを示すブロック図である。
【図７】本発明の実施の形態におけるバーナのコントロールシステムを示すブロック図である。
【図８】本発明の実施の形態における制御システムを示すブロック図である。
【図９】本発明の実施の形態における制御の構成を示すブロック図である。
【図１０】本発明の実施の形態における主燃焼炉温度制御システムを示す概略図である。
【図１１】本発明の実施の形態における再燃焼炉温度制御システムを示す概略図である。
【図１２】本発明の実施の形態における炉内圧制御システムを示すブロック図である。
【図１３】本発明の実施の形態におけるコンピュータバックアップシステムを示すブロック図である。
【図１４】本発明の実施の形態における排煙濃度制御システムを示すブロック図である。
【図１５】本発明の実施の形態における酸素濃度制御システムを示すブロック図である。
【図１６】本発明の実施の形態における燃焼促進制御システムを示す概略図である。
【図１７】本発明の実施の形態における炉内圧力の変動を示すグラフである。
【図１８】本発明の実施の形態における炉内温度変化を示すグラフである。
【図１９】本発明の実施の形態における酸素濃度と排煙濃度変化を示すグラフである。
【図２０】本発明の実施の形態における一酸化炭素濃度変化を示すグラフである。
【符号の説明】
【００７５】
１，１’  冷却室
２，２’  主燃焼炉
３  炉内台車
４  柩
５  架台
６  遺骨
７，７’  再燃焼炉
８，８’  冷却器
９，９’  炉出口ダンパ
１０  バグフィルタ
１１  触媒
１２  誘引送風機
１３  排気筒
１４  主燃バーナ
１５  再燃バーナ
１６  ２次空気の吹き込み口
１７，１８  絞り
２０  燃焼用送風機
２１ａ〜２１ｄ  コントロールダンパ
２２  ヘッダー
２３  インバータ
２４  圧力計
２５，２６  調節器
２７  インバータ
２８  調節器
２９ａ，２９ｂ  コントロールダンパ
３０  制御用コンピュータ
３１  主燃焼炉温度計
３２  炉内圧計
３３  再燃焼炉温度計
３４  再燃焼炉出口温度計
３５  酸素濃度計
３６  排煙濃度計
３７  主燃焼炉２次空気量ダンパ
３８  主燃焼炉バーナ出力
３９  再燃焼炉２次空気量ダンパ
４０  再燃焼炉バーナ出力
４１  炉出口ダンパ
４２  誘引送風機回転数
４３  操作盤タッチパネル
Ｂ  遺体
Ｃ，Ｃ’  火葬炉
Ｄ  共通部
【図１】
0004413249.tif 000002
【図２】
0004413249.tif 000003
【図３】
0004413249.tif 000004
【図４】
0004413249.tif 000005
【図５】
0004413249.tif 000006
【図６】
0004413249.tif 000007
【図７】
0004413249.tif 000008
【図８】
0004413249.tif 000009
【図９】
0004413249.tif 000010
【図１０】
0004413249.tif 000011
【図１１】
0004413249.tif 000012
【図１２】
0004413249.tif 000013
【図１３】
0004413249.tif 000014
【図１４】
0004413249.tif 000015
【図１５】
0004413249.tif 000016
【図１６】
0004413249.tif 000017
【図１７】
0004413249.tif 000018
【図１８】
0004413249.tif 000019
【図１９】
0004413249.tif 000020
【図２０】
0004413249.tif 000021